(57)【要約】  【課題】  水の浸入の防止等が可能な携帯音楽プレーヤーを提供する。  【解決手段】  この携帯音楽プレーヤー１は、本体２と、ヘッドセット３とを具備する。本体２は、バッテリー２１と、発振器２２と、フラッシュメモリ２３と、ＭＰ３デコーダ２４と、Ｄ／Ａコンバータ２５と、変調器２６と、合波器２７と、送信器２８と、コイル２９とを具備する。ヘッドセット３は、カード部４と、ステレオスピーカ５とを具備する。カード部４は、コイル３１と、分波器３２と、整流器３３と、復調器３４と、増幅器３５とを具備する。【選択図】  図１
2005203857.tif 000002
【特許請求の範囲】
【請求項１】
音声信号と前記音声信号と異なる周波数を有する第２の信号とを合波した信号を電磁波に変換して送信するための第１の装置と、
前記電磁波を受信して前記音声信号と前記第２の信号とに分波し、分波して得られた前記第２の信号に基づいて電力を得て、得られた電力を用いて前記音声信号に基づく音声を出力するための第２の装置と、
を具備する携帯音楽プレーヤー。
【請求項２】
前記第１の装置が、前記音声信号をアナログ信号又はディジタル信号として前記第２の装置に送信する、請求項１記載の携帯音楽プレーヤー。
【請求項３】
前記第２の信号の周波数が、前記音声信号の周波数より高い、請求項１又は２記載の携帯音楽プレーヤー。
【発明の詳細な説明】
【技術分野】
【０００１】
本発明は、携帯音楽プレーヤーに関する。
【背景技術】
【０００２】
従来より、磁気記録媒体（磁気テープ、磁気ディスク等）に音声信号を記録し、外出先等において音楽を聞くための携帯音楽プレーヤーが広く用いられている。近年では、ＭＰ３（MPEG-1 Audio Layer-3）等の圧縮されたディジタル音声データを記録するフラッシュメモリ、ハードディスクドライブ等を本体に内蔵し、このディジタル音声データをデコード、Ｄ／Ａ変換、及び、増幅することにより、ヘッドセット内のスピーカから音声を出力する携帯音楽プレーヤーも用いられるようになってきている。
【０００３】
従来の携帯音楽プレーヤーは、本体とヘッドセットとの間の信号の送受信の観点から、次の３つの種類に分類することができる。
（１）本体とヘッドセットとを導線によって固定的（分離不可能）に接続したもの
（２）本体及びヘッドセットが導電性の端子（それぞれ「ステレオミニジャック」、「ステレオミニプラグ」と呼ばれることがある）をそれぞれ具備し、これらの端子を使用時に接続するもの
（３）本体が音声信号を電波として送信し、バッテリーを内蔵したヘッドセットがこの電波を受信して音声を出力するもの
【０００４】
上記（１）のような種類の携帯音楽プレーヤーでは、本体又はヘッドセットのいずれかに故障が生じた場合に故障が生じた方のみを交換することができないという問題があり、また、収納、持ち運び等が不便であるという問題があった。
上記（２）のような種類の携帯音楽プレーヤーでは、本体側の端子から水が浸入するおそれがあるという問題があった。また、本体側の端子とヘッドセット側の端子との接触状態により、これらの端子間の抵抗又はインピーダンスが変化することがあり、音質の劣化を招く場合があった。さらに、ヘッドセット側又は本体側の端子の表面の劣化（酸化、腐蝕等）が生ずることがあり、音質の劣化を招く場合があった。
【０００５】
上記（３）のような種類の携帯音楽プレーヤーでは、ヘッドセットが、バッテリーを有するため、大きく且つ重くなってしまうという問題があった。また、本体が送信する電波が他者に受信されてしまうおそれがあるというセキュリティの問題があった。
【０００６】
ところで、アンテナ又はコイルで受信した信号を整流して電力を得ることができる非接触伝達機構付ＩＣカードが知られている（例えば、特許文献１参照）。
このような、コイル等で受信した信号を整流して電力を得ることができるＩＣカードは、「外部端子なしＩＣカード」として規格化されている（ＩＳＯ／ＩＥＣ  １０５３６−１、ＪＩＳ  Ｘ  ６３２１−１等）。
【０００７】
【特許文献１】特開２００１−２０９７７２号公報
【発明の開示】
【発明が解決しようとする課題】
【０００８】
そこで、上記の点に鑑み、本発明は、端子間の接触状態等による音質の劣化を防止すること等が可能な携帯音楽プレーヤーを提供することを目的とする。
【課題を解決するための手段】
【０００９】
以上の課題を解決するため、本発明に係る携帯音楽プレーヤーは、音声信号と音声信号と異なる周波数を有する第２の信号とを合波した信号を電磁波に変換して送信するための第１の装置と、電磁波を受信して音声信号と第２の信号とに分波し、分波して得られた第２の信号に基づいて電力を得て、得られた電力を用いて音声信号に基づく音声を出力するための第２の装置とを具備する。
【００１０】
この携帯音楽プレーヤーにおいて、第１の装置が、音声信号をアナログ信号又はディジタル信号として第２の装置に送信することとしても良い。
また、第２の信号の周波数が、音声信号の周波数より高いこととしても良い。
【発明の効果】
【００１１】
本発明によれば、端子間の接触状態等による音質の劣化を防止すること等が可能となる。
【発明を実施するための最良の形態】
【００１２】
以下、図面を参照しながら、本発明の実施の形態について説明する。なお、同一の構成要素には同一の参照符号を付して、説明を省略する。
図１は、本発明の第１の実施形態に係る携帯音楽プレーヤーを示す図である。図１に示すように、この携帯音楽プレーヤー１は、本体２と、ヘッドセット３とを具備する。ヘッドセット３は、カード部４と、ステレオスピーカ５とを具備する。
【００１３】
図２は、本体２の内部構成を示す図である。図２に示すように、本体２は、バッテリー２１と、発振器２２と、フラッシュメモリ２３と、ＭＰ３（MPEG-1 Audio Layer-3）デコーダ２４と、Ｄ／Ａコンバータ２５と、変調器２６と、合波器２７と、送信器２８と、コイル２９とを具備する。
バッテリー２１は、発振器２２、フラッシュメモリ２３、ＭＰ３デコーダ２４、Ｄ／Ａコンバータ２５、変調器２６、合波器２７、及び、送信器２８に電力を供給する。
【００１４】
発振器２２は、バッテリー２１から電力の供給を受け、所定の周波数（例えば、１３．５６ＭＨｚ（ＩＳＯ／ＩＥＣ  １５６９３−１、ＪＩＳ  Ｘ  ６３２３−１等において用いられている周波数）等）の信号（以下、「電力用信号」という）を生成して、合波器２７に出力する。
フラッシュメモリ２３は、ＭＰ３に符号化されたディジタル音声データを記録している。
【００１５】
ＭＰ３デコーダ２４は、フラッシュメモリ２３に記録されているディジタル音声データをデコードして、Ｄ／Ａコンバータ２５に出力する。
Ｄ／Ａコンバータ２５は、ＭＰ３デコーダ２４が出力するディジタル音声データをアナログの音声信号に変換して、変調器２６に出力する。なお、音声信号の周波数は、一般に、２０Ｈｚ〜２０ＫＨｚ程度である。
【００１６】
変調器２６は、Ｄ／Ａコンバータ２５が出力する音声信号を、所定のキャリア信号（例えば、１００ｋＨｚの信号等）を用いて変調する。
合波器２７は、変調器２６が出力する変調信号（例えば、１００ｋＨｚ±２０ｋＨｚ程度）と発振器２２が出力する電力用信号（例えば、１３．５６ＭＨｚ）とを合波し、送信器２８に出力する。
送信器２８は、コイル２９を用いて、合波器２７が出力する信号を電磁波としてヘッドセット３に送信する。
【００１７】
図３は、ヘッドセット３のカード部４の内部構成を示す図である。図３に示すように、カード部４は、コイル３１と、分波器３２と、整流器３３と、復調器３４と、増幅器３５とを具備する。
コイル３１は、本体２内のコイル２９から送信された電磁波を受信して信号に変換する。
分波器３２は、コイル３１が出力する信号を電力用信号と音声信号を変調した信号とに分波し、電力用信号を整流器３３に、音声信号を変調した信号を復調器３４に出力する。
【００１８】
整流器３３は、電力用信号を整流することにより、電力を復調器３４及び増幅器３５に供給する。
復調器３４は、整流器３３から電力の供給を受けて、音声信号を変調した信号を復調し、音声信号を増幅器３５に出力する。
【００１９】
増幅器３５は、整流器３３から電力の供給を受けて、復調器３４が出力する音声信号を増幅し、ステレオスピーカ５に駆動信号を供給する。
ステレオスピーカ５は、増幅器３５から供給される駆動信号に従って、音声を出力する。
【００２０】
なお、一般に、ステレオスピーカ５を駆動するためには、２０ｍＷ程度が必要である。また、カード部４の動作のためには、概ね３０ｍＷ程度が必要と考えられる。従って、ヘッドセット３全体として、概ね５０ｍＷ程度の電力が必要となり、この電力を本体２からヘッドセット３に電磁波によって供給する必要がある。
現在、「外部端子なしＩＣカード」（ＩＳＯ／ＩＥＣ  １０５３６−１、ＪＩＳ  Ｘ  ６３２１−１等）の中の「近接型」（ＩＳＯ／ＩＥＣ  １４４４３−１、ＪＩＳ  Ｘ  ６３２２−１等）と呼ばれるものに用いられている半導体集積回路の消費電力も、概ね５０ｍＷ程度である。
従って、ステレオスピーカ５から音声を出力するために必要な電力（概ね５０ｍＷ程度）を本体２からヘッドセット３に供給することは、十分に可能である。
【００２１】
また、「近接型」の「外部端子なしＩＣカード」の規格（ＩＳＯ／ＩＥＣ  １４４４３−１、ＪＩＳ  Ｘ  ６３２２−１等）においては、通信可能距離は１０ｃｍ以内とされている。
一方、携帯音楽プレーヤー１において、本体２内のコイル２９とヘッドセット３のカード部４内のコイル３１との間の距離を概ね１０ｍｍ以下とすれば、電力の伝送ロスを約６５％程度に抑えることができ、電界強度を５００μＶ／ｍ程度とすることができる。従って、ヘッドセット３のカード部４内のコイルを、「外部端子なしＩＣカード」（縦５４．０ｍｍ、横８５．７ｍｍ、厚さ０．７６ｍｍ）と同じサイズのカード（樹脂板等）に格納することは十分に可能である。
【００２２】
以上説明したように、携帯音楽プレーヤー１においては、本体２とヘッドセット３とが分離しているため、本体２又はヘッドセット３が故障した場合に、故障した方のみを交換することが可能である。
また、携帯音楽プレーヤー１においては、ステレオミニジャック、ステレオミニプラグ等の端子を用いていない。そのため、本体２の内部に水が浸入することを防止することができ、端子間の接触状態によって音質が劣化することを防止することができる。
また、携帯音楽プレーヤー１においては、ヘッドセット３はバッテリーを必要としない。従って、ヘッドセット３を小さく、軽くすることが可能である。
【００２３】
また、本体２内のコイル２９とヘッドセット３のカード部４内のコイル３１との間の距離を概ね１０ｍｍ以下とし、本体２が、１０ｍｍ程度離れた所まで受信可能な電磁波をヘッドセット３に送信することとすれば、本体２がヘッドセット３に送信する電磁波を他者に受信されることを防止することができる。
【００２４】
次に、本発明の第２の実施形態に係る携帯音楽プレーヤーについて説明する。図４は、本発明の第２の実施形態に係る携帯音楽プレーヤーを示す図である。図４に示すように、この携帯音楽プレーヤー４１は、本体４２と、ヘッドセット４３とを具備する。ヘッドセット４３は、カード部４４と、ステレオスピーカ５とを具備する。
【００２５】
図５は、本体４２の内部構成を示す図である。図５に示すように、本体４２は、バッテリー２１と、フラッシュメモリ２３と、コイル２９と、発振器５１と、パラレル−シリアル変換器５２と、ディジタル変調器５３と、合波器５４と、送信器５５とを具備する。
バッテリー２１は、フラッシュメモリ２３、発振器５１、パラレル−シリアル変換器５２、ディジタル変調器５３、合波器５４、及び、送信器５５に電力を供給する。
【００２６】
発振器５１は、バッテリー２１から電力の供給を受け、所定の周波数の信号（以下、「電力用信号」という）を生成して、合波器５４に出力する。
フラッシュメモリ２３は、ＭＰ３に符号化されたディジタル音声データを記録している。
【００２７】
パラレル−シリアル変換器５２は、ＭＰ３に符号化されたディジタル音声データ（パラレルディジタル信号）をシリアルディジタル信号に変換する。
ディジタル変調器５３は、パラレル−シリアル変換器５２が出力するシリアルディジタル信号を、ＰＳＫ（フェイズシフトキーイング）、ＦＳＫ（周波数シフトキーイング）、又は、ＡＳＫ（振幅シフトキーイング）、若しくは、その他の方法を用いて変調する。
【００２８】
合波器５４は、ディジタル変調器５３が出力する変調信号と発振器５１が出力する電力用信号とを合波し、送信器５５に出力する。
送信器５５は、コイル２９を用いて、合波器５４が出力する信号を電磁波としてヘッドセット３に送信する。
【００２９】
図６は、ヘッドセット４３のカード部４４の内部構成を示す図である。図６に示すように、カード部４４は、ＭＰ３デコーダ２４と、Ｄ／Ａコンバータ２５と、コイル３１と、分波器６１と、整流器６２と、増幅器６３、６６と、ディジタル復調器６４と、シリアル−パラレル変換器６５とを具備する。
分波器６１は、コイル３１が出力する信号を高周波数帯信号（電力用信号）と低周波数帯信号（音声信号を変調した信号）とに分波し、電力用信号を整流器６２に、低周波数帯信号を増幅器６３に出力する。
【００３０】
整流器６２は、電力用信号を整流することにより、電力をＭＰ３デコーダ２４、Ｄ／Ａコンバータ２５、増幅器６３、６６、ディジタル復調器６４、及び、シリアル−パラレル変換器６５に供給する。
増幅器６３は、整流器６２から電力の供給を受けて、低周波数帯信号を増幅する。
【００３１】
ディジタル復調器６４は、整流器６２から電力の供給を受けて、増幅器６３が出力する信号を復調する。
シリアル−パラレル変換器６５は、整流器６２から電力の供給を受けて、ディジタル復調器６４が出力する信号（シリアルディジタル信号）をパラレルディジタル信号（ＭＰ３データ）に変換する。
【００３２】
ＭＰ３デコーダ２４は、整流器６２から電力の供給を受けて、シリアル−パラレル変換器６５が出力するディジタル音声データ（ＭＰ３データ）をデコードする。
Ｄ／Ａコンバータ２５は、ＭＰ３デコーダ２４が出力するディジタル音声データを音声信号に変換する。
増幅器６６は、Ｄ／Ａコンバータ２５が出力する音声信号を増幅し、ステレオスピーカ５を駆動する。
ステレオスピーカ５は、増幅器６６から供給される駆動信号に従って、音声を出力する。
【００３３】
このように、携帯音楽プレーヤー４１においては、本体４２とヘッドセット４３とが分離しているため、本体４２又はヘッドセット４３が故障した場合に、故障した方のみを交換することが可能である。また、携帯音楽プレーヤー４１においては、本体４２の内部に水が浸入することを防止することができ、また、音質が劣化することを防止することができる。さらに、携帯音楽プレーヤー４１においては、ヘッドセット４３を小さく、軽くすることが可能である。
【産業上の利用可能性】
【００３４】
本発明は、携帯音楽プレーヤーにおいて利用可能である。
【図面の簡単な説明】
【００３５】
【図１】本発明の第１の実施形態に係る携帯音楽プレーヤーを示す図。
【図２】図１の本体２の内部構成を示す図。
【図３】図１のヘッドセット３の内部構成を示す図。
【図４】本発明の第２の実施形態に係る携帯音楽プレーヤーを示す図。
【図５】図４の本体４２の内部構成を示す図。
【図６】図４のヘッドセット４３の内部構成を示す図。
【符号の説明】
【００３６】
１、４１  携帯音楽プレーヤー、２、４２  本体、３、４３  ヘッドセット、４、４４
カード部、５  ステレオスピーカ、２１  バッテリー、２２、５１  発振器、２３  フラッシュメモリ、２４  ＭＰ３デコーダ、２５  Ｄ／Ａコンバータ、２６  変調器、２７、５４  合波器、２８、５５  送信器、２９、３１  コイル、３２、６１  分波器、３３、６２  整流器、３４  復調器、３５、６３、６６  増幅器、５２  パラレル−シリアル変換器、５３  ディジタル変調器、６４  ディジタル復調器、６５  シリアル−パラレル変換器
【図１】
2005203857.tif 000003
【図２】
2005203857.tif 000004
【図３】
2005203857.tif 000005
【図４】
2005203857.tif 000006
【図５】
2005203857.tif 000007
【図６】
2005203857.tif 000008